(57)【特許請求の範囲】
【請求項１】
ロックシリンダ（２）と、関連するセキュリティー・キー（３）とを有する電子機械的ロック装置であって、前記セキュリティー・キーが制御回路（４）を有し、前記制御回路から、第１の通信路（５）を介して、情報信号を前記ロックシリンダ（２）の制御回路（６）に伝送することができるロック装置において、
前記セキュリティー・キー（３）が、アクセスデータを保存及び／又は処理するために、少なくとも第２の通信路（７）を有し、前記２つの通信路（５，７）が前記セキュリティー・キー（３）の前記制御回路（４）に接続され、前記第１の通信路を介して及び前記第２の通信路を介しての両方で、前記アクセスデータが、書き込み、読み取り及び変更可能で、かつ、保存及び管理可能であり、
前記セキュリティー・キー上の前記第１の通信路（５）が電気接触手段（８）を有し、この接触手段は、前記ロックシリンダ（２）が前記ロックシリンダ（２）のキー溝（１０）に差し込まれると、信号伝送のために、前記回転式ロックシリンダ（２）の電気接触手段（９）と接触し、
前記第２の通信路（７）が、無線通信路を確立するトランスポンダ（１５）を有することを特徴とするロック装置。
【請求項２】
前記接触手段（８，９）を介して、信号伝送と、エネルギー源（１１）による前記ロックシリンダ（２）の前記制御装置（６）への給電の両方が提供されることを特徴とする、請求項１に記載のロック装置。
【請求項３】
前記エネルギー源（１１）が、前記セキュリティー・キー（３）上又は前記ロックシリンダ（２）内に配置されることを特徴とする、請求項２に記載のロック装置。
【請求項４】
前記セキュリティー・キー（３）上の前記制御回路（４）が変圧器（１２）を有することを特徴とする、請求項３に記載のロック装置。
【請求項５】
前記変圧器（１２）が、不作動状態ではスイッチが切られており、前記セキュリティー・キー（３）が前記ロックシリンダ（２）に挿入されるとスイッチが入れられることを特徴とする、請求項４に記載のロック装置。
【請求項６】
前記セキュリティー・キー（３）上に配置される前記制御回路（４）が、２つの導電体を介して、双方向に、前記ロックシリンダ（２）の前記制御回路（６）と通信することを特徴とする、請求項２に記載のロック装置。
【請求項７】
前記アクセスデータを保存し管理することができるコントロールセンター（１３）に接続され、このコントロールセンター（１３）が、前記２つの通信路（５，７）を介して、前記セキュリティー・キー（３）上に配置される前記制御回路（４）に接続されることを特徴とする、請求項１〜４のいずれか１項に記載のロック装置。
【請求項８】
前記セキュリティー・キー（３）上の前記制御回路（４）が、前記第２の通信路（７）において、インターフェース接続を介して直接、ＲＦＩＤアンテナ（１１）に接続されることを特徴とする、請求項１〜７のいずれか１項に記載のロック装置。
【請求項９】
前記セキュリティー・キー（３）上の前記制御回路（４）が、前記２つの通信路（５，７）を介して、読み出し及び変更可能なクロック（１４）を有することを特徴とする、請求項１〜８のいずれか１項に記載のロック装置。
【請求項１０】
前記クロック（１４）を用いて、特に、少なくとも１つの時間窓、及び／又は、少なくとも１つの時間帯を決定することができることを特徴とする、請求項９に記載のロック装置。
【請求項１１】
前記セキュリティー・キー（３）上の前記制御回路（４）が、以下の機能の少なくとも１つのためのデータを有することを特徴とする、請求項１〜１０のいずれか１項に記載のロック装置：
独自の番号（Ｕｎｉｋａｔｓｎｕｍｍｅｒｎ）
アクセス許可
時間帯
時間窓
ブロックリスト／許可の取り消し
ステータス情報
履歴情報
第３者ユーザーのためのデータのセグメンテーション
ユーザーのグループ化。
【発明の詳細な説明】
【技術分野】
【０００１】
本発明は、ロックシリンダと、関連するセキュリティー・キーとを有する電子機械式ロック装置に関し、前記セキュリティー・キーが制御回路を有し、前記制御回路から、第１の通信路を介して、情報信号をロックシリンダの制御回路に伝送することができる電子機械式ロック装置に関する。
【背景技術】
【０００２】
この種の電子機械式ロック装置は、例えば、同出願人による特許文献１に開示されている。（キーの）制御回路を用いて、回転式ロックシリンダの制御回路に、情報信号を伝送することができる。信号は、回転式ロックシリンダのキー溝に配置される電気接触要素を介して伝送される。この種のロック装置の１つの重要な利点は、電子的に保護されたユーザー識別手段のおかげで、セキュリティーを高められることである。この種のユーザー識別手段は、既定の項目の電子情報を提供して初めて、差し込んだキーを用いて回転子を操作することが可能となる。回転子は、例えば、モーターによってブロッキング位置とブロック解除位置の間で動かすことのできるブロッキング要素を有する作動装置を用いて、ロック解除される。
【０００３】
この種のロック装置の回転式ロックシリンダは、「独立型」として、又はネットワーク型として操作することができる。複数の電子機械式ロック装置を有するネットワーク型システムは、同出願人による特許文献２に開示されている。このシステムは、アクセス許可を監視するためのソフトウェアを有し、且つ、このアクセス許可に関するデータを含む少なくとも１つのデータベースを備えたコンピュータを有する。データは、通常、認定ユーザーの名前、これらユーザーがアクセスするロック装置のリスト、及び、例えば、これらユーザーがアクセスする許可を与えられている時間窓のための情報を含む。この種のシステムは、ネットワークを介して、簡単迅速に、コントロールセンターからミューテーション（Ｍｕｔａｔｉｏｎｅｎ）を作成することができる。
【０００４】
特許文献３は、キーを有するロック装置を開示し、キーがロックシリンダに差し込まれると、このキーを用いてユーザー固有のデータがロックシリンダへと送られる。ユーザー固有のデータは、キーの把持部に配置される指紋センサーからのデータである。ユーザー固有のデータが認定されたものとして確認されると、ロックシリンダを操作することができ、さらに、回転子がキーによって機械的にブロック解除される。ユーザー固有のデータは、ロックシリンダ内の電気接点を用いて、又は非接触的に、キーからロックシリンダへと伝送される。ロックセキュリティーを、指紋センサーからのデータによって同様に高めることを意図したロック装置は、特許文献４にも開示されている。特許文献５は、電子コードジェネレータがキーに配置され、電子コード評価手段がシリンダハウジングに配置されるロック装置を開示している。このコードは、トランスポンダと、トランスポンダ読み取り機を用いて伝送される。特許文献６は、識別ユニットからのデータを受け取るための電子モジュールと、ブロック及び／又は連結装置を操作するための電気モーターとを有するロック装置を開示する。操作時には、電気モーターが発電機として働き、電子モジュールのためのエネルギー貯蔵手段に充電する。
【先行技術文献】
【特許文献】
【０００５】
【特許文献１】ＷＯ  ２００７／０７３６０８
【特許文献２】ＷＯ  ２００６／０５６０８５
【特許文献３】ＵＳ  ２００５／００７７９９５
【特許文献４】ＷＯ  ２００５／０１３１８１
【特許文献５】ＥＰ−Ａ−０７４３４１１
【特許文献６】ＷＯ  ２００９／０３６５８５
【発明の概要】
【発明が解決しようとする課題】
【０００６】
本発明は、このようなシステムにさらによりよく適する、前記タイプのロック装置を提供するという目的に基づくものである。
【課題を解決するための手段】
【０００７】
この一般的なタイプのロック装置の場合、本目的は、セキュリティー・キーが、アクセスデータを保存する及び／又は処理するために、少なくとも第２の通信路を有することにより達成される。本発明によるロック装置では、セキュリティー・キーは少なくとも２つの通信路を有する。第１の通信路は、ロックシリンダ内の電気接点を介して作られる。本発明による装置の重要な利点は、この第１の通信路を介して、電力を供給することも可能なことである。これは、特に、セキュリティー・キー内に配置されたバッテリーを用いて実行することができる。しかしながら、バッテリーは、原則的に、ロックシリンダ内に配置することもできる。２つの通信路は、それぞれ、セキュリティー・キーの制御回路に接続される。本発明によるロック装置は、なんら機械的セキュリティー手段を有しない、つまり、機械的であれば通常存在するボルトやピンを含まない、電子的セキュリティーロックシリンダであることが可能である。
【０００８】
第２の通信路は、ＲＦＩＤに基づき、データを、読み取り装置又は書き込み装置を用いて、非接触に読み取り、セキュリティー・シリンダの制御回路に非接触に入力できるようにする。従って、本発明によるロック装置の場合、通信は、２つの路を介して可能である。セキュリティー・キー上に配置される制御回路のデータは、この２つの通信路を介して使用することができるので、ＲＦＩＤを介して、及びロックシリンダ内の電気接点を介しての両方で使用できる。通信路に関係なく、アクセスデータは回路を介して処理することができる。これはまた、他のデータについても言える。これらデータは、第１の通信路を介しても、第２の通信路を介しても、書いたり、読んだり、変更でき、中央で保存及び管理することもできる。
【０００９】
本発明の1つの発展によると、ロックシリンダ内の制御回路は、双方向通信を用いて実行される。同じ電気的接続を介して電力も供給される。さらに、ロックシリンダの制御回路は、変調電流を用いてセキュリティー・キーの制御回路と通信する。
【００１０】
本発明の1つの発展によると、第１及び第２の通信路を介して、データを暗号化された形で伝送し、さらに暗号化された形で保存する。さらに、本発明の１つの発展によると、セキュリティー・キーは、識別及び／又は認証メカニズムを含む。識別及び認証のためのデータは、好ましくは、暗号化された形で伝送され保存される。
【００１１】
本発明の１つの発展によると、キー内に配置される制御回路は、２つの通信路を介して読み出し、変更することのできるクロックを有する。従って、操作のための許可は、２つの通信路を介したデータ管理によって可能となる。
【００１２】
さらなる有利な特徴は、従属特許請求項、以下の説明及び図から明らかになる。
【図面の簡単な説明】
【００１３】
【図１】図１は、本発明のロック装置を概略的に示す。
【図２】図２は、本発明のロック装置のロックシリンダの正面図を示す。
【図３】図３は、本発明のロック装置の回路図を示す。
【発明を実施するための形態】
【００１４】
本発明の例示の実施形態を、図を参照し、以下、より詳細に説明する。
【００１５】
図１によると、本発明のロック装置１は、胴部２２及び把持部２３を持つセキュリティー・キー３を有する。セキュリティー・キー３は、図２に示されるロックシリンダ２を操作するために使用される。前記ロックシリンダは、回転子２５と、この回転子２５が回転できるようにするための固定子２６を有し、回転子を回転させるためには、キーの胴部２２を回転子のキー溝１０に挿入する。この場合、タンブラー（ここには図示せず）が、それ自体周知である方法で配置される。
【００１６】
キー３の把持部２３には、エネルギー源１１、特にバッテリーによって給電される制御回路４が配置される。制御回路４及びエネルギー源１１は、例えば、把持部２３の凹所（ここには図示せず）に配置され、カバー等（ここには図示せず）によって覆われる。制御回路４は、特に、アクセスデータの保存及び処理のために使用される。このアクセスデータは、コントロールセンター１３により、例えばラップトップコンピュータを用いて、制御回路４に書き込むことができ、前記制御回路から読み取ることができ、及び変更することができる。このデータは、コントロールセンター１３内で保存及び管理することができる。これらの過程に対する通信は、２つの路を介して可能である。前記路については、以下により詳しく記載する。
【００１７】
第１の路は、これを介してコントロールセンター１３が制御回路４と通信でき、制御回路４をセキュリティー・キー３上に配置される接触手段８に接続する第１の通信路５を有する。この接触手段８は、例えば、胴部２２の後端部の外側に配置される接触板である。胴部２２がキー溝１０に挿入されると、接触手段８は、図２から、キー溝１０に同様に配置される接触手段９と電気的に接続される。この第１の通信路５は、制御回路４を接触手段８に接続する信号線によって形成される。この信号線は、キー３内で延びる。接触手段９は、図２によると固定子２６内に配置される制御回路６に接続される。例えば、前記制御回路６は、ＷＯ  ２００７／０７３６０８に記載される作動装置を制御する。胴部２２がキー溝１０に挿入されると、制御回路４は、第１の通信路５を介して許可データを制御回路６に伝送する。このデータは、制御回路６にて照合される。許可が与えられると、それに応じて作動装置が動かされる。
【００１８】
セキュリティー・キーがリバーシブル・キーである場合には、キーの両面又はキー溝の両面に、電気的接触要素が設けられる。
【００１９】
第２の路は、制御回路４をトランスポンダ１５に接続する第２の通信路７を有し、トランスポンダはそれ自体周知であり、同様に把持部３に配置される。このトランスポンダ１５は、アンテナ２７（図３）を有し、アンテナはそれ自体周知であり、読み取り装置２４との非接触通信を可能とする。トランスポンダ１５は、回路４と、信号伝送のために読取り装置２４と接続されるコントロールセンター１３との間の、ＲＦＩＤに基づくデータの伝送を可能にする。この読取り装置２４を用いて、制御回路のデータを読取り、入力し、変更できる。さらに、読取り装置２４を用いて、このデータをコントロールセンター１３に保存し、その後コントロールセンターで管理する。従って、本発明のロック装置は、接点８及び９を介するデータ伝送が可能であるし、ＲＦＩＤに基づくデータの伝送又は通信も可能である。上述のように、第１の通信路５を介した給電が可能である。さらに、エネルギーを、トランスポンダ１５のアンテナ２７を介して、又はＲＦＩＤを介して供給することもできる。図３に示すように、電力制御手段１６が設けられ、これは、エネルギー源１１及び変圧器１２に接続される。この電力制御手段１６は、エネルギー消費量をできるだけ低く維持するために、少なくとも、回路４の部分のスイッチを入れたり切ったりする。多くのバッテリーは、それらの内部抵抗のために、ピーク電流で大きな電圧降下を有する。変圧器１２は、バッテリーの電圧降下を補償することができる。静止電流を減らすために、変圧器１２は、好ましくは、不作動状態ではスイッチが切られる。キー３がロックシリンダ２に挿入されると、変圧器１２にスイッチが入れられ、ピーク電流によって引き起こされた電圧降下を補償する。図３によると、制御回路４は、システム検出器２０を有し、このシステム検出器がそれぞれ必要な工程のスイッチを入れる。スイッチを入れる操作は、関連のシステムに基づいて、従って、第１の通信路５を介してか、又は第２の通信路７を介してかを選択して実行される。システム検出器２０は、それに応じて、接触手段９又はトランスポンダ１５に接続される。
【００２０】
回路４は、また、暗号化手段１７及びクロック１４を有する。クロック１４は、暗号化手段１７によって保護される。クロック１４は、第１の通信路５を介して及び第２の通信路７を介しての両方で、読み出され、変更することができる。クロック１４の操作のための許可は、データ処理手段によって制御される。
【００２１】
コントロールセンター１３も同様に、暗号化手段１９によって保護される。前記コントロールセンターは、少なくとも１つのデータ保存手段１８、及びデータ管理のための手段を有する。コントロールセンター１３は、図からわかるように、第１の通信路５を介して、又は第２の通信路７を介して、制御回路４と通信することができる。さらに、第１の通信路５を介して、及び第２の通信路７を介して、ファームウェアのアップデートを行うことができる。
【００２２】
使用されるトランスポンダ技術のそれぞれ与えられた規格に従い、第２の通信路７を用いて通信が行われる。１以上のＲＦＩＤ技術を、例えば、１３．５６ＭＨｚ又は１２５ｋＨｚの周波数で、処理することができる。制御回路４は、ＲＦＩＤアンテナ２７に直接接続でき、前記ＲＦＩＤアンテナを介して通信できる。
【００２３】
特に以下のデータ及び特性の保存及び処理が提供される：
独自の番号（Ｕｎｉｋａｔｓｎｕｍｍｅｒｎ）
アクセス許可
時間帯
時間窓
ブロックリスト／許可の取り消し
ステータス情報
履歴情報
第３者ユーザーのためのデータのセグメンテーション
ユーザーのグループ化。
【符号の説明】
【００２４】
１      ロック装置
２      ロックシリンダ
３      セキュリティー・キー
４      制御回路
５      第１の通信路
６      制御回路
７      第２の通信路
８      接触手段
９      接触手段
１０    キー溝
１１    エネルギー源
１２    変圧器
１３    コントロールセンター
１４    クロック
１５    トランスポンダ
１６    電力制御手段
１７    暗号化手段
１８    データ保存手段
１９    暗号化手段
２０    システム検出器
２１    データ処理手段
２２    胴部
２３    把持部
２４    読み取り装置
２５    回転子
２６    固定子
２７    アンテナ（ＲＦＩＤアンテナ）
【図１】
0005529954.tif 000002
【図２】
0005529954.tif 000003
【図３】
0005529954.tif 000004